(57)【要約】  【課題】車両の状況を自動的に判断し、傾斜センサシステムの適切な検知モードへの自動変更を行うことができる車両の盗難検知装置を提供する。  【解決手段】セキュリティＥＣＵ１が警戒状態にセットされた場合、ＣＰＵ１１は、ナビゲーション装置２からの情報に基づいてイグニッションオフ直前における車両位置を取得し、取得した車両位置に基づいて車両の現在位置が屋内型移動式の駐車場やフェリー乗り場、またはその近傍であるか否かを判定する。そして、車両の現在位置が屋内型移動式の駐車場やフェリー乗り場、またはその近傍であると判定した場合、ＣＰＵ１１は、傾斜センサシステムを強制的にオフした後、ナビゲーション装置２のモニタ２４に傾斜センサシステムがオフされたことを表示する。これにより、駐車場のパレットやフェリーの揺れによる傾斜センサシステムの誤動作を防止することができる。  【選択図】図１
2007083745.tif 000002
【特許請求の範囲】
【請求項１】
車両の傾斜を検出する傾斜検出手段の出力を用いて盗難の検知を行う演算制御手段を備えた車両の盗難検知装置であって、
上記傾斜検出手段の出力に基づく盗難検知がセットされた状態にあるときに、駐車中に車両に揺れが発生する状況であると判断した場合、上記演算制御手段が、上記傾斜検出手段の出力に基づく盗難検知を解除することを特徴とする車両の盗難検知装置。
【請求項２】
車両の傾斜を検出する傾斜検出手段の出力を用いて盗難の検知を行う演算制御手段を備えた車両の盗難検知装置であって、
駐車中に車両に揺れが発生する状況であると判断した場合、上記演算制御手段が、盗難検知に用いる傾斜検出出力に対するフィルタ処理を変更することを特徴とする車両の盗難検知装置。
【請求項３】
車両の傾斜を検出する傾斜検出手段の出力を用いて盗難の検知を行う演算制御手段を備えた車両の盗難検知装置であって、
駐車中に車両に揺れが発生する状況であると判断した場合、上記演算制御手段が、上記傾斜検出手段の出力に基づく盗難検知の閾値を高い値に変更することを特徴とする車両の盗難検知装置。
【請求項４】
車両の傾斜を検出する傾斜検出手段の出力を用いて盗難の検知を行う演算制御手段を備えた車両の盗難検知装置であって、
駐車中に車両に揺れが発生する状況であると判断した場合、上記演算制御手段が、上記傾斜検出手段の出力に基づく盗難検知のための判別ロジックを変更することを特徴とする車両の盗難検知装置。
【請求項５】
請求項１〜請求項４のいずれかに記載された車両の盗難検知装置において、
盗難検知の設定が変更された場合、上記演算制御手段が、盗難検知の設定が変更されたことをユーザに通知することを特徴とする車両の盗難検知装置。
【請求項６】
請求項１〜請求項４のいずれかに記載された車両の盗難検知装置において、
上記演算制御手段が、ナビゲーション情報からイグニッションオフ直前における車両位置を取得し、取得した車両位置に基づいて車両に揺れが発生する状況であるか否かを判断することを特徴とする車両の盗難検知装置。
【請求項７】
請求項１〜請求項４のいずれかに記載された車両の盗難検知装置において、
ナビゲーションの目的地設定が車両に揺れが発生する駐車場所であって、かつ、目的地に到着している場合に、上記演算制御手段が、車両に揺れが発生する状況であると判断することを特徴とする車両の盗難検知装置。
【請求項８】
請求項１〜請求項４のいずれかに記載された車両の盗難検知装置において、
ナビゲーションの目的地までの経路にフェリーが含まれる場合であって、かつ、フェリーターミナルに到着している場合に、上記演算制御手段が、車両に揺れが発生する状況であると判断することを特徴とする車両の盗難検知装置。
【請求項９】
請求項１〜請求項４のいずれかに記載された車両の盗難検知装置において、
車両内の照度を検出する照度検出手段を備え、車両が駐車する前の一定時間内における照度変化がある閾値以上の場合に、上記演算制御手段が、車両に揺れが発生する状況であると判断することを特徴とする車両の盗難検知装置。
【請求項１０】
請求項１〜請求項４のいずれかに記載された車両の盗難検知装置において、
車両内の照度を検出する照度検出手段を備え、車両が駐車した後の一定時間内における照度変化がある閾値以上の場合に、上記演算制御手段が、車両に揺れが発生する状況であると判断することを特徴とする車両の盗難検知装置。
【請求項１１】
請求項１〜請求項４のいずれかに記載された車両の盗難検知装置において、
車両が駐車する前の一定時間内における傾斜角度がある閾値以上の場合に、上記演算制御手段が、車両に揺れが発生する状況であると判断することを特徴とする車両の盗難検知装置。
【請求項１２】
請求項１〜請求項４のいずれかに記載された車両の盗難検知装置において、
車両が駐車する前の一定時間内における傾斜角速度がある閾値以上の場合に、上記演算制御手段が、車両に揺れが発生する状況であると判断することを特徴とする車両の盗難検知装置。
【請求項１３】
請求項１〜請求項４のいずれかに記載された車両の盗難検知装置において、
車両が駐車した後の一定時間内における傾斜角度がある閾値以上の場合に、上記演算制御手段が、車両に揺れが発生する状況であると判断することを特徴とする車両の盗難検知装置。
【請求項１４】
請求項１〜請求項４のいずれかに記載された車両の盗難検知装置において、
車両が駐車した後の一定時間内における傾斜角速度がある閾値以上の場合に、上記演算制御手段が、車両に揺れが発生する状況であると判断することを特徴とする車両の盗難検知装置。
【請求項１５】
請求項１〜請求項４のいずれかに記載された車両の盗難検知装置において、
セキュリティシステムが設定された後の一定時間内における傾斜角度がある閾値以上の場合に、上記演算制御手段が、車両に揺れが発生する状況であると判断することを特徴とする車両の盗難検知装置。
【請求項１６】
請求項１〜請求項４のいずれかに記載された車両の盗難検知装置において、
セキュリティシステムが設定された後の一定時間内における傾斜角速度がある閾値以上の場合に、上記演算制御手段が、車両に揺れが発生する状況であると判断することを特徴とする車両の盗難検知装置。
【発明の詳細な説明】
【技術分野】
【０００１】
本発明は、車両の傾斜を検知する傾斜センサ等からの情報を用いて盗難かどうかの判断を行い、盗難が発生した場合や盗難が発生する可能性がある事象を検知した場合に警報を発生する車両の盗難検知装置に関する。
【背景技術】
【０００２】
車両の盗難検知装置は、アーミング（警戒）中に不正なドア開、車室内への侵入、車両の傾斜、ガラス割れ等の不正侵入あるいはその事前行為を検出すると警報を発生させたり、あるいは所定場所に不正侵入があったことを無線通報するものであり、現在広く実用化されている。
【０００３】
このうち、車両の傾斜を検知する傾斜センサシステムは、ジャッキやレッカー車を用いてタイヤやホイール、あるいは、車両そのものを盗もうとした場合に、車両が不自然に傾くことを利用するものであり、異常な傾斜が発生した場合にアラーム等を作動させるようになっている。
この車両の傾斜度合いを判断するために車両には加速度センサが搭載されており、傾斜角度や角速度の値そのものや、それらの値をフィルタ処理した信号を用い、駐車開始時の初期傾斜角度とそれ以後の傾斜角度との差を判断指標とし、図１９に示すように、求めた傾斜角度と盗難検知閾値とを比較することにより盗難判別を行っている。
【０００４】
一方、車両がタワーパーキングに駐車した場合、入庫あるいは出庫時等に駐車場のパレットが動くことにより車両が揺れたり傾いたりする場合があり、また、フェリーに搭乗した場合、フェリーの揺れによって車両が傾くことがあるので、上記の傾斜センサシステムが誤判断し、アラームを作動させてしまうという問題がある。
このため、フェリーやタワーパーキングなど、駐車時に車両に揺れが発生する状況にある場合、傾斜センサの機能をオフさせることを目的として、傾斜による盗難検知をオフさせるスイッチや、立体駐車モードを盗難検知装置に設定するシステムが提案されている（例えば、特許文献１参照）。
【特許文献１】特開２００３−３４２３３号公報
【発明の開示】
【発明が解決しようとする課題】
【０００５】
上記のように、従来の傾斜センサシステムは、フェリーやタワーパーキングなどへの駐車時の誤動作を防止するため、傾斜センサシステムをオフさせるスイッチや、立体駐車モードを設定できるようにすることが提案されているが、上記の提案では、盗難検知装置が車両の状況を自ら判断し、適切な検知モードへ変更することや適切な設定をユーザに伝達することができない為、これらの設定をユーザが自分で判断を行って実行する必要があり、ユーザが設定変更を忘れた場合には、誤作動が発生するという問題が生じる。
【０００６】
本発明は、上記の問題に鑑みてなされたもので、車両の状況を自動的に判断し、傾斜センサシステムの適切な検知モードへの自動変更を行うことができる車両の盗難検知装置を提供することを目的とする。
【課題を解決するための手段】
【０００７】
上述の目的を達成するため、本発明に係る車両の盗難検知装置（１）は、
車両の傾斜を検出する傾斜検出手段の出力を用いて盗難の検知を行う演算制御手段を備えた車両の盗難検知装置であって、
上記傾斜検出手段の出力に基づく盗難検知がセットされた状態にあるときに、駐車中に車両に揺れが発生する状況であると判断した場合、上記演算制御手段が、上記傾斜検出手段の出力に基づく盗難検知を解除することを特徴とする。
【０００８】
また、本発明に係る車両の盗難検知装置（２）は、
車両の傾斜を検出する傾斜検出手段の出力を用いて盗難の検知を行う演算制御手段を備えた車両の盗難検知装置であって、
駐車中に車両に揺れが発生する状況であると判断した場合、上記演算制御手段が、盗難検知に用いる傾斜検出出力に対するフィルタ処理を変更することを特徴とする。
【０００９】
さらに、本発明に係る車両の盗難検知装置（３）は、
車両の傾斜を検出する傾斜検出手段の出力を用いて盗難の検知を行う演算制御手段を備えた車両の盗難検知装置であって、
駐車中に車両に揺れが発生する状況であると判断した場合、上記演算制御手段が、上記傾斜検出手段の出力に基づく盗難検知の閾値を高い値に変更することを特徴とする。
【００１０】
また、本発明に係る車両の盗難検知装置（４）は、
車両の傾斜を検出する傾斜検出手段の出力を用いて盗難の検知を行う演算制御手段を備えた車両の盗難検知装置であって、
駐車中に車両に揺れが発生する状況であると判断した場合、上記演算制御手段が、上記傾斜検出手段の出力に基づく盗難検知のための判別ロジックを変更することを特徴とする。
【００１１】
さらに、本発明に係る車両の盗難検知装置（５）は、車両の盗難検知装置（１）〜（４）のいずれかにおいて、
盗難検知の設定が変更された場合、上記演算制御手段が、盗難検知の設定が変更されたことをユーザに通知することを特徴とし、
本発明に係る車両の盗難検知装置（６）は、車両の盗難検知装置（１）〜（４）のいずれかにおいて、
上記演算制御手段が、ナビゲーション情報からイグニッションオフ直前における車両位置を取得し、取得した車両位置に基づいて車両に揺れが発生する状況であるか否かを判断することを特徴とする。
【００１２】
また、本発明に係る車両の盗難検知装置（７）は、車両の盗難検知装置（１）〜（４）のいずれかにおいて、
ナビゲーションの目的地設定が車両に揺れが発生する駐車場所であって、かつ、目的地に到着している場合に、上記演算制御手段が、車両に揺れが発生する状況であると判断することを特徴し、
本発明に係る車両の盗難検知装置（８）は、車両の盗難検知装置（１）〜（４）のいずれかにおいて、
ナビゲーションの目的地までの経路にフェリーが含まれる場合であって、かつ、フェリーターミナルに到着している場合に、上記演算制御手段が、車両に揺れが発生する状況であると判断することを特徴とする。
【００１３】
さらに、本発明に係る車両の盗難検知装置（９）は、車両の盗難検知装置（１）〜（４）のいずれかにおいて、
車両内の照度を検出する照度検出手段を備え、車両が駐車する前の一定時間内における照度変化がある閾値以上の場合に、上記演算制御手段が、車両に揺れが発生する状況であると判断することを特徴とし、
本発明に係る車両の盗難検知装置（１０）は、車両の盗難検知装置（１）〜（４）のいずれかにおいて、
車両内の照度を検出する照度検出手段を備え、車両が駐車した後の一定時間内における照度変化がある閾値以上の場合に、上記演算制御手段が、車両に揺れが発生する状況であると判断することを特徴とする。
【００１４】
また、本発明に係る車両の盗難検知装置（１１）は、車両の盗難検知装置（１）〜（４）のいずれかにおいて、
車両が駐車する前の一定時間内における傾斜角度がある閾値以上の場合に、上記演算制御手段が、車両に揺れが発生する状況であると判断することを特徴とし、
本発明に係る車両の盗難検知装置（１２）は、車両の盗難検知装置（１）〜（４）のいずれかにおいて、
車両が駐車する前の一定時間内における傾斜角速度がある閾値以上の場合に、上記演算制御手段が、車両に揺れが発生する状況であると判断することを特徴とする。
【００１５】
さらに、本発明に係る車両の盗難検知装置（１３）は、車両の盗難検知装置（１）〜（４）のいずれかにおいて、
車両が駐車した後の一定時間内における傾斜角度がある閾値以上の場合に、上記演算制御手段が、車両に揺れが発生する状況であると判断することを特徴とし、
本発明に係る車両の盗難検知装置（１４）は、車両の盗難検知装置（１）〜（４）のいずれかにおいて、
車両が駐車した後の一定時間内における傾斜角速度がある閾値以上の場合に、上記演算制御手段が、車両に揺れが発生する状況であると判断することを特徴とする。
【００１６】
また、本発明に係る車両の盗難検知装置（１５）は、車両の盗難検知装置（１）〜（４）のいずれかにおいて、
セキュリティシステムが設定された後の一定時間内における傾斜角度がある閾値以上の場合に、上記演算制御手段が、車両に揺れが発生する状況であると判断することを特徴とし、
本発明に係る車両の盗難検知装置（１６）は、車両の盗難検知装置（１）〜（４）のいずれかにおいて、
セキュリティシステムが設定された後の一定時間内における傾斜角速度がある閾値以上の場合に、上記演算制御手段が、車両に揺れが発生する状況であると判断することを特徴とする。
【発明の効果】
【００１７】
本発明に係る車両の盗難検知装置（１）〜（４）によれば、駐車中に車両に揺れが発生する状況である場合、傾斜センサシステムの設定が自動的に変更され、例えば、傾斜検出手段の出力に基づく盗難検知が自動的に解除されたり、盗難検知に用いる傾斜検出出力に対するフィルタ処理が変更されたり、盗難検知の閾値が高い値に変更されたり、あるいは、傾斜検出出力に基づく盗難検知のための判別ロジックが変更されるので、屋内型移動式の駐車場やフェリー等の、駐車時に車両に揺れが発生する状況にあるとき、傾斜センサシステムの誤動作を防止することができる。
【００１８】
また、本発明に係る車両の盗難検知装置（５）によれば、盗難検知の設定が変更された場合、盗難検知の設定が変更されたことが、例えば、ナビゲーションシステムへの画面表示、音声、メール、あるいは、セキュリティリモコンへの通信によりユーザに通知されるので、盗難検知の設定が変更されたことをユーザが容易に認識することができる。
【００１９】
さらに、本発明に係る車両の盗難検知装置（６）〜（８）によれば、ナビゲーション情報、例えば、車両の現在位置や目的地によって、駐車時に車両に揺れが発生する状況にあるか否かが判断されるので、車両が屋内型移動式の駐車場やフェリー等の、駐車時に車両に揺れが発生する状況にあるか否かの判断を容易に行うことができる。
【００２０】
また、本発明に係る車両の盗難検知装置（９）、（１０）によれば、車両が駐車する前の一定時間内または車両が駐車した後の一定時間内における照度変化がある閾値以上の場合に、車両が屋内型移動式の駐車場やフェリー等の中に駐車していると判断されるので、駐車時に車両に揺れが発生する状況にあるか否かを容易に判断することができる。
【００２１】
さらに、本発明に係る車両の盗難検知装置（１１）〜（１４）によれば、車両が駐車する前または駐車した後の一定時間内における傾斜角度がある閾値以上の場合、あるいは、車両が駐車する前または駐車した後の一定時間内における傾斜角速度がある閾値以上の場合、駐車場のパレットやフェリーによる揺れが生じており、駐車時に車両に揺れが発生する状況にあると判断されるので、傾斜センサの出力のみによって駐車時に車両に揺れが発生する状況にあるか否かを判断することが可能となる。
また、本発明に係る車両の盗難検知装置（１５）、（１６）によれば、セキュリティシステムが設定された後の一定時間内における傾斜角度または傾斜角速度がある閾値以上の場合に、車両に揺れが発生する状況であると判断されるので、上記と同様に、傾斜センサの出力のみによって駐車時に車両に揺れが発生する状況にあるか否かを判断することが可能となる。
【実施例１】
【００２２】
以下、本発明の車両の盗難検知装置の実施例について、図面を用いて説明する。
図１は盗難検知システムの構成を示すブロック図であり、図に示すように、この盗難検知システムはセキュリティＥＣＵ１とナビゲーション装置２により構成されている。
セキュリティＥＣＵ１は不正な手段による車室内への侵入や車両の傾斜等があったとき警報を発するもので、このセキュリティＥＣＵ１には、イグニッションキーの挿入を検知するキー挿入検知スイッチ（ＳＷ）３１、ドアの開閉状態を検出するカーテシＳＷ３２、フードの開閉状態を検出するフードＳＷ３３、車室内への侵入があったことを検出する侵入センサ３４、車両の傾斜を検出する傾斜センサ３５等のセンサや、警報時に警報動作を行うサイレン３６、ハザードランプ３７、ヘッドライトや室内表示灯、エアコンの制御等に使用する照度センサ３８等が接続されている。
【００２３】
カーテシＳＷ３２は、運転席ドア、助手席ドア、後部ドア、トランクの開閉を検出するものであり、各ドア、トランクに設けられているが、図１では代表として１つだけ示している。また、侵入センサ３４は、例えば、車室内に超音波または電波を張りめぐらせておき、ガラスが割られたり、車室内で人が動いたりしたときの音波または電波の周波数の乱れを検出するものであり、傾斜センサ３５は人が車室内へ乗り込んだり、車両をトーイングするために車両を傾けたりしたときの車両の傾斜を検出する。
【００２４】
セキュリティＥＣＵ１はＣＰＵ１１、ＲＯＭ（Read Only Memory）１２、ＲＡＭ（Random Access Memory）１３、電波時計１４から構成されており、ＣＰＵ１１はセキュリティＥＣＵ１のハードウェア各部を制御するとともに、ＲＯＭ１２に記憶されたプログラムに基づいて各種のプログラムを実行する。また、ＲＡＭ１３はＳＲＡＭ等で構成され、プログラムの実行時に発生する一時的なデータを記憶するとともに、傾斜センサ３５の出力によりセキュリティＥＣＵ１が警戒状態にセットされた時点の車両の傾きを記憶し、ＣＰＵ１１はその後に、車両が不自然な傾斜をした場合に異常を検知する。電波時計１４は、時刻情報を含む標準電波（搬送波）を受信し、この電波から時刻情報を取り出すことにより正確な時刻を計時するものである。
【００２５】
一方、ナビゲーション装置２は、ＧＰＳアンテナ２１、ＶＩＣＳアンテナ２２、ナビ本体２３及びモニタ２４からなる。ＧＰＳアンテナ２１は、軌道情報、衛星位置情報及び刻時情報を乗せて複数のナブスター衛星から送信される変調波を受信するためのものであり、ＶＩＣＳアンテナ２２は、混雑情報や天気情報等を重畳した変調波を受信するためのものである。ナビ本体（ＧＰＳ受信機）２３は、受信した変調波を解析して自動車の現在位置（緯度・経度）を算出し、モニタ２４に映る電子地図上の現在位置に相当する場所に、車両位置を表示する。このナビゲーション装置２では、現在位置から電子地図情報に基づいて付近の駐車場等の情報を検出するとともに、電子地図上で目的地を設定することも可能である。
さらに、モニタ２４には、セキュリティＥＣＵ１の出力も入力され、傾斜センサシステムの設定が変更された場合、ユーザに傾斜センサシステムの設定が変更された旨を伝えることが可能となっている。
【００２６】
そして、このセキュリティＥＣＵ１は、警戒状態にセットされた場合、車両状況を推定し、屋内型移動式の駐車場やフェリー等の、駐車時に車両に揺れが発生する状況にあると判断した場合には、傾斜センサシステムの設定変更を自動的に行うようになっており、以下、セキュリティＥＣＵ１の警戒状態セット時の作用について、フローチャートにより説明する。
【００２７】
図２のフローチャートは、ナビゲーション情報に基づいてイグニッションオフ直前における車両位置を取得し、取得した車両位置に基づいて駐車中に車両に揺れが発生する状況にあるか否かを判断する場合の、ＣＰＵ１１の作用を示すものである。
キー挿入検知ＳＷ３１の出力によりキーが抜かれたと判断した場合、あるいは、セキュリティ用送信機（図示せず）からアーミング要求信号を受信した場合等、セキュリティＥＣＵ１が警戒状態にセットされた場合、ＣＰＵ１１は図２のフローチャートに示す傾斜センサシステムの設定プログラムを開始する。
【００２８】
図２のフローチャートに示す傾斜センサシステムの設定プログラムを開始すると、ＣＰＵ１１は、まず、ナビゲーション装置２からの情報に基づいてイグニッションオフ直前における車両位置を取得し、取得した車両位置に基づいて車両の現在位置が屋内型移動式の駐車場やフェリー乗り場、またはその近傍であるか否かを判定し（ステップ１０１）、車両の現在位置が屋内型移動式の駐車場やフェリー乗り場、またはその近傍でないと判定した場合、プログラムを終了する。
これにより、警戒状態の継続中、セキュリティＥＣＵ１は傾斜センサ３５を含む全てのセンサの出力に基づいて盗難の発生有無の判断を実行する。
【００２９】
一方、車両の現在位置が屋内型移動式の駐車場やフェリー乗り場、またはその近傍であると判定した場合、ＣＰＵ１１は、傾斜センサシステムを強制的にオフした（ステップ１０２）後、ナビゲーション装置２のモニタ２４に傾斜センサシステムの設定が変更された旨、すなわち、傾斜センサシステムがオフされたことを表示する（ステップ１０３）。
これにより、警戒状態の継続中、セキュリティＥＣＵ１は傾斜センサ３５を除くその他の盗難検知センサの出力に基づいて盗難の発生有無の判断を実行するので、駐車場のパレットやフェリーの揺れによる傾斜センサシステムの誤動作を防止することができるとともに、ユーザは傾斜センサシステムがオフされたことを容易に認識することができる。
【実施例２】
【００３０】
上記の実施例では、イグニッションオフ直前における車両位置により駐車中に車両に揺れが発生する状況にあるか否かを判断したが、車両の目的地が屋内型移動式の駐車場やフェリー乗り場に設定されていた場合に、駐車中に車両に揺れが発生する状況にあると判断することもでき、以下、車両の目的地が屋内型移動式の駐車場やフェリーに設定されていた場合に、傾斜センサシステムをオフする場合のＣＰＵ１１の作用を図３のフローチャートにより説明する。
なお、装置構成は図１と同じであるので、説明を省略する。
【００３１】
セキュリティＥＣＵ１が警戒状態にセットされた場合、ＣＰＵ１１は図３のフローチャートに示す傾斜センサシステムの設定プログラムを開始し、まず、ナビゲーション装置２からの情報に基づいて車両の目的地が屋内型移動式の駐車場またはフェリー乗り場に設定されていたか否かを判定し（ステップ２０１）、車両の目的地が屋内型移動式の駐車場またはフェリー乗り場でなかったと判定した場合、プログラムを終了する。
これにより、警戒状態の継続中、セキュリティＥＣＵ１は傾斜センサ３５を含む全てのセンサの出力に基づいて盗難の発生有無の判断を実行する。
【００３２】
また、車両の目的地が屋内型移動式の駐車場またはフェリー乗り場に設定されていたと判定した場合、ＣＰＵ１１は、ナビゲーション装置２からの情報に基づいて車両が目的地に到着したか否かを判定し（ステップ２０２）、車両が目的地に到着していないと判定した場合、プログラムを終了する。
これにより、上記と同様に、警戒状態の継続中、セキュリティＥＣＵ１は傾斜センサ３５を含む全てのセンサの出力に基づいて盗難の発生有無の判断を実行する。
【００３３】
一方、ステップ２０２で車両が目的地に到着していたと判定した場合、ＣＰＵ１１は、傾斜センサシステムを強制的にオフした（ステップ２０３）後、ナビゲーション装置２のモニタ２４に傾斜センサシステムがオフされたことを表示する（ステップ２０４）。
これにより、警戒状態の継続中、セキュリティＥＣＵ１は傾斜センサ３５を除くその他の盗難検知センサの出力に基づいて盗難の発生有無の判断を実行するので、駐車場のパレットやフェリーの揺れによる傾斜センサシステムの誤動作を防止することができる。
【実施例３】
【００３４】
また、車両の目的地までの経路にフェリーが含まれている場合に、駐車中に車両に揺れが発生する状況にあると判断することもでき、以下、車両の目的地までの経路にフェリーが含まれている場合に傾斜センサシステムをオフする場合のＣＰＵ１１の作用を図４のフローチャートにより説明する。
【００３５】
セキュリティＥＣＵ１が警戒状態にセットされた場合、ＣＰＵ１１は図４のフローチャートに示す傾斜センサシステムの設定プログラムを開始し、まず、ナビゲーション装置２からの情報に基づいて車両の目的地までの経路にフェリーが含まれていたか否かを判定し（ステップ３０１）、車両の目的地までの経路にフェリーが含まれていなかったと判定した場合、プログラムを終了する。
これにより、警戒状態の継続中、セキュリティＥＣＵ１は傾斜センサ３５を含む全てのセンサの出力に基づいて盗難の発生有無の判断を実行する。
【００３６】
また、車両の目的地までの経路にフェリーが含まれていたと判定した場合、ＣＰＵ１１は、ナビゲーション装置２からの情報に基づいて車両がフェリーターミナルに到着したか否かを判定し（ステップ３０２）、車両がフェリーターミナルに到着していないと判定した場合、プログラムを終了する。
これにより、上記と同様に、警戒状態の継続中、セキュリティＥＣＵ１は傾斜センサ３５を含む全てのセンサの出力に基づいて盗難の発生有無の判断を実行する。
【００３７】
一方、ステップ３０２で車両がフェリーターミナルに到着していたと判定した場合、ＣＰＵ１１は、傾斜センサシステムを強制的にオフした（ステップ３０３）後、ナビゲーション装置２のモニタ２４に傾斜センサシステムがオフされたことを表示する（ステップ３０４）。
これにより、警戒状態の継続中、セキュリティＥＣＵ１は傾斜センサ３５を除くその他の盗難検知センサの出力に基づいて盗難の発生有無の判断を実行するので、駐車場のパレットやフェリーの揺れによる傾斜センサシステムの誤動作を防止することができる。
【実施例４】
【００３８】
以上の実施例では、駐車中に車両に揺れが発生する状況にあると判断した場合、傾斜センサシステムをオフするようにしたが、傾斜センサシステムをオフせず、演算処理内容を変更することにより車両の盗難以外の傾斜での誤動作を防止することもできる。
図５のフローチャートは駐車中に車両に揺れが発生する状況にあると判断した場合に、傾斜角度センサの出力をローパスフィルタ処理する場合のＣＰＵ１１の作用を示すものである。
【００３９】
上記と同様に、セキュリティＥＣＵ１が警戒状態にセットされた場合、ＣＰＵ１１は図５のフローチャートに示す傾斜センサシステムの設定プログラムを開始し、まず、ナビゲーション装置２からの情報に基づいてイグニッションオフ直前における車両位置を取得し、取得した車両位置に基づいて車両の現在位置が屋内型移動式の駐車場やフェリー乗り場、またはその近傍であるか否かを判定し（ステップ４０１）、車両の現在位置が屋内型移動式の駐車場やフェリー乗り場、またはその近傍でないと判定した場合、プログラムを終了する。
これにより、警戒状態の継続中、セキュリティＥＣＵ１は傾斜センサ３５を含む全てのセンサの出力に基づいて盗難の発生有無の判断を実行する。
【００４０】
一方、車両の現在位置が屋内型移動式の駐車場やフェリー乗り場、またはその近傍であると判定した場合、ＣＰＵ１１は、傾斜角度の演算処理にローパスフィルタ処理を含むように設定した（ステップ４０２）後、ナビゲーション装置２のモニタ２４に傾斜センサシステムの設定が変更された旨、すなわち、傾斜角度演算にローパスフィルタ処理が含まれていることを表示する（ステップ４０３）。
これにより、図６に示すように、ローパスフィルタ処理４１された傾斜角度信号に基づいて盗難閾値判定処理４２が行われ、駐車場のパレットやフェリーの揺れによる傾斜信号が除去されるので、パレットやフェリーの揺れによる誤動作を防止することが可能となる。
【実施例５】
【００４１】
また、盗難判別閾値を高く設定することにより誤動作を防止することもでき、以下、駐車中に車両に揺れが発生する状況にあると判断した場合に、盗難判別閾値を高く設定する場合のＣＰＵ１１の作用を図７のフローチャートにより説明する。
上記と同様に、セキュリティＥＣＵ１が警戒状態にセットされた場合、ＣＰＵ１１は図７のフローチャートに示す傾斜センサシステムの設定プログラムを開始し、まず、ナビゲーション装置２からの情報に基づいてイグニッションオフ直前における車両位置を取得し、取得した車両位置に基づいて車両の現在位置が屋内型移動式の駐車場やフェリー乗り場、またはその近傍であるか否かを判定し（ステップ５０１）、車両の現在位置が屋内型移動式の駐車場やフェリー乗り場、またはその近傍でないと判定した場合、プログラムを終了する。
これにより、警戒状態の継続中、セキュリティＥＣＵ１は、傾斜センサ３５の出力により演算した傾斜角度が図８に示す通常の盗難検知閾値Ａを超えるか否かを判定することにより異常な傾斜が発生したか否かを判断し、盗難の発生有無を検知する。
【００４２】
一方、車両の現在位置が屋内型移動式の駐車場やフェリー乗り場、またはその近傍であると判定した場合、ＣＰＵ１１は、傾斜角度の盗難判別閾値を、図８に示す移動式駐車場、フェリー用の閾値Ｂに設定する（ステップ５０２）とともに、ナビゲーション装置２のモニタ２４に傾斜センサシステムの設定が変更された旨、すなわち、傾斜角度の盗難判別閾値が高く設定されていることを表示する（ステップ５０３）。
以上のように、屋内型移動式の駐車場やフェリー上では傾斜角度の盗難判別閾値が高く設定されるので、駐車場のパレットやフェリーの揺れによって車両が多少傾いても警報信号を発生せず、駐車場のパレットやフェリーの揺れによる誤動作を防止することが可能となる。
【実施例６】
【００４３】
さらに、傾斜角度演算値を用いたメインの盗難検知判別ロジックとは別に、傾斜角度にハイパスフィルタ処理を施した演算値を用いたＯＦＦロジックを適用することにより、駐車中に車両に揺れが発生する状況にある場合に誤動作を防止することもでき、以下、ＯＦＦロジックを用いる場合のＣＰＵ１１の作用を図９のフローチャートにより説明する。
【００４４】
上記と同様に、セキュリティＥＣＵ１が警戒状態にセットされた場合、ＣＰＵ１１は図９のフローチャートに示す傾斜センサシステムの設定プログラムを開始し、まず、ナビゲーション装置２からの情報に基づいてイグニッションオフ直前における車両位置を取得し、取得した車両位置に基づいて車両の現在位置が屋内型移動式の駐車場やフェリー乗り場、またはその近傍であるか否かを判定し（ステップ６０１）、車両の現在位置が屋内型移動式の駐車場やフェリー乗り場、またはその近傍でないと判定した場合、プログラムを終了する。
これにより、警戒状態の継続中、傾斜センサの出力に通常の演算処理が施されて盗難の発生有無が検知される。
【００４５】
一方、車両の現在位置が屋内型移動式の駐車場やフェリー乗り場、またはその近傍であると判定した場合、ＣＰＵ１１は、盗難検知判別ロジックにＯＦＦロジックを追加する（ステップ６０２）とともに、ナビゲーション装置２のモニタ２４に傾斜センサシステムの設定が変更された旨、すなわち、盗難検知判別ロジックにＯＦＦロジックが追加されていることを表示する（ステップ６０３）。
【００４６】
これにより、図１０に示すように、警戒状態の継続中、セキュリティＥＣＵ１は、傾斜センサ出力に対して通常のフィルタ処理４３を行った信号と盗難検知閾値Ａとの比較判定処理４２を行うメインフィルタロジックと、傾斜センサの出力に対してハイパスフィルタ処理４４を行った信号を誤動作防止閾値Ｃと比較する誤動作防止ＯＦＦフィルタロジックを実行し、これらのフィルタロジックのアンド出力によりアラーム出力を行う。
この誤動作防止ＯＦＦフィルタロジックは、図１１に示すように、ハイパスフィルタ処理４４を行った信号が誤動作防止閾値Ｃの範囲内に有る場合、ＯＮ許可領域と判断して、“ＯＮ”信号を出力し、ハイパスフィルタ処理４４を行った信号が誤動作防止閾値Ｃを越えた場合に、“ＯＦＦ”信号を出力する。
【００４７】
したがって、メインフィルタロジックの出力が“ＯＮ”で、かつ、誤動作防止ＯＦＦフィルタロジック出力が“ＯＮ”の場合には、盗難が発生したと判断されてアラーム出力が行われるが、駐車場のパレットやフェリーの揺れが生じた場合には、ハイパスフィルタ処理４４の演算処理結果が大きくなり、誤動作防止ＯＦＦフィルタロジックの出力が“ＯＦＦ”となるので、アラーム出力は行われず、盗難以外の傾斜での誤動作を防止することができる。
【００４８】
なお、以上の実施例４〜実施例６では、イグニッションオフ直前の車両位置が屋内型移動式の駐車場やフェリー乗り場、またはその近傍であると判定した場合に、駐車中に車両に揺れが発生する状況にあると判断したが、実施例２、３と同様に、車両の目的地が屋内型移動式の駐車場やフェリー乗り場に設定され、目的地に到着した場合、あるいは、車両の目的地までの経路にフェリーが含まれており、フェリーターミナルに到着した場合に、駐車中に車両に揺れが発生する状況にあると判断することもできる。
【実施例７】
【００４９】
以上の実施例では、ナビゲーション装置からの情報に基づいて駐車中に車両に揺れが発生する状況にあるか否かを判断したが、車両が屋内型移動式の駐車場内やフェリー内等に駐車した場合、車両内が暗くなるので、照度計からの照度情報に基づいて、駐車中に車両に揺れが発生する状況にあるか否かを判断することも可能であり、以下、照度計からの照度情報に基づいて、駐車中に車両に揺れが発生する状況にあるか否かを判断する実施例について説明する。
なお、装置構成は図１と同じであるので、説明を省略する。
【００５０】
図１２のフローチャートは、照度計からの照度情報に基づいて駐車中に車両に揺れが発生する状況にあると判断した場合、傾斜センサシステムをオフする実施例のＣＰＵ１１の作用を示すものであり、セキュリティＥＣＵ１が警戒状態にセットされた場合、ＣＰＵ１１は図１２のフローチャートに示す傾斜センサシステムの設定プログラムを開始する。
【００５１】
図１２のフローチャートに示す設定プログラムを開始すると、ＣＰＵ１１は、ＲＡＭ１３から車両が駐車される前の一定時間内の照度値を取り込む（ステップ７０１）。
すなわち、セキュリティＥＣＵ１のＣＰＵ１１は、図１３（ａ）に示すように、照度センサ３８の出力を一定時間間隔で取り込んでＲＡＭ１３に記憶しており、セキュリティＥＣＵ１が警戒状態にセットされた場合、ＣＰＵ１１は車両が駐車した時点から一定時間前までの照度値を取り込む。
【００５２】
次に、ＣＰＵ１１は、取り込んだ照度値に基づいて、図１３（ｂ）に示すように、照度値の変化を検出し、その照度変化が閾値Ｄよりも大きいか否かを判定し（ステップ７０２）、照度変化が閾値Ｄよりも小さいと判定した場合、プログラムを終了する。
これにより、警戒状態の継続中、セキュリティＥＣＵ１は傾斜センサ３５を含む全てのセンサの出力に基づいて盗難の発生有無の判断を実行する。
【００５３】
一方、ステップ７０２で照度変化が閾値Ｄよりも大きいと判定した場合、ＣＰＵ１１は、車両が屋内型移動式の駐車場やフェリー等の中に入って暗くなったと判断し、傾斜センサシステムをオフする（ステップ７０３）。
これにより、警戒状態の継続中、セキュリティＥＣＵ１は傾斜センサ３５を除くその他の盗難検知センサの出力に基づいて盗難の発生有無の判断を実行するので、駐車場のパレットやフェリーの揺れによる傾斜センサシステムの誤動作を防止することができる。
【００５４】
なお、上記の実施例では、照度センサ３８の出力を一定時間間隔で取り込んでＲＡＭ１３に記憶したが、照度センサ３８の出力を一定走行距離毎に取り込んでＲＡＭ１３に記憶し、セキュリティＥＣＵ１が警戒状態にセットされた場合、車両が駐車した時点から所定走行距離内の照度変化がある閾値以上である場合に、駐車中に車両に揺れが発生する状況にあると判断することも可能である。
また、セキュリティＥＣＵ１が警戒状態にセットされた場合、車両が駐車した後の一定時間内の照度を取り込み、取り込んだ照度値に基づいて検知した照度変化がある閾値以上である場合に、駐車中に車両に揺れが発生する状況にあると判断するようにしてもよい。
【実施例８】
【００５５】
一方、夜間等に照度変化を検出しても、車両が屋内型移動式の駐車場やフェリー等の中に入ったと判断することが困難であるので、現在時刻が日照時間内である場合にのみ照度変化検出を行うようにすることが好ましく、以下、現在時刻が日照時間内である場合にのみ、照度変化検出を行う場合のＣＰＵ１１の作用を図１４のフローチャートにより説明する。
【００５６】
セキュリティＥＣＵ１が警戒状態にセットされた場合、ＣＰＵ１１は図１４のフローチャートに示す傾斜センサシステムの設定プログラムを開始し、まず、電波時計１４からの時刻信号に基づいて現在時刻が日照時間内であるか否かを判定し（ステップ８０１）、現在時刻が日照時間内でないと判定した場合、プログラムを終了する。
これにより、警戒状態の継続中、セキュリティＥＣＵ１は傾斜センサ３５を含む全てのセンサの出力に基づいて盗難の発生有無の判断を実行する。
【００５７】
また、ステップ８０１で現在時刻が日照時間内であると判定した場合、ＣＰＵ１１は、ＲＡＭ１３から車両が駐車した時点から一定時間前までの照度値を取り込む（ステップ８０２）。次に、ＣＰＵ１１は、取り込んだ照度値に基づいて照度値の変化を検出し、その照度変化が閾値Ｄよりも大きいか否かを判定し（ステップ８０３）、照度変化が閾値Ｄよりも小さいと判定した場合、プログラムを終了する。
これにより、上記と同様に、警戒状態の継続中、セキュリティＥＣＵ１は傾斜センサ３５を含む全てのセンサの出力に基づいて盗難の発生有無の判断を実行する。
【００５８】
一方、ステップ８０３で照度変化が閾値Ｄよりも大きいと判定した場合、ＣＰＵ１１は、車両が屋内型移動式の駐車場やフェリー等の中に入って暗くなったと判断し、傾斜センサシステムを強制的にオフする（ステップ８０４）。
これにより、警戒状態の継続中、セキュリティＥＣＵ１は傾斜センサ３５を除くその他の盗難検知センサの出力に基づいて盗難の発生有無の判断を実行するので、駐車場のパレットやフェリーの揺れによる傾斜センサシステムの誤動作を防止することができる。
【００５９】
以上のように、現在時刻が日照時間内である場合にのみ、照度変化検出を行うようにすることにより、現在時刻が日照時間内でない場合には、照度変化検出が行われないので、無駄な照度判別処理を行わないようにすることが可能となる。
【実施例９】
【００６０】
以上の実施例では、照度変化を所定の閾値と比較することにより、屋内型移動式の駐車場やフェリー等の、駐車中に車両に揺れが発生する状況にあるか否かを判定したが、時刻や天気情報に基づいて照度変化の閾値を調節することも可能であり、以下、天気情報に基づいて照度変化の閾値を調節する場合のＣＰＵ１１の作用を図１５のフローチャートにより説明する。
【００６１】
セキュリティＥＣＵ１が警戒状態にセットされた場合、ＣＰＵ１１は図１５のフローチャートに示す傾斜センサシステムの設定プログラムを開始し、ナビゲーション装置２からの天気情報に基づいて、天気による屋外の照度を予測し、その情報により照度変化の閾値Ｅを調節する（ステップ９０１）。すなわち、天気がよい場合には閾値Ｅを大きくし、天気が悪い場合には閾値Ｅを小さくする。
【００６２】
次に、ＣＰＵ１１は、ＲＡＭ１３から車両が駐車される直前の一定時間内の照度値を取り込んだ（ステップ９０２）後、取り込んだ照度値に基づいて照度値の変化を検出し、その照度変化が閾値Ｅよりも大きいか否かを判定し（ステップ９０３）、照度変化が閾値Ｅよりも小さいと判定した場合、プログラムを終了する。
これにより、警戒状態の継続中、セキュリティＥＣＵ１は傾斜センサ３５を含む全てのセンサの出力に基づいて盗難の発生有無の判断を実行する。
【００６３】
一方、ステップ９０３で照度変化が閾値Ｅよりも大きいと判定した場合、ＣＰＵ１１は、車両が屋内型移動式の駐車場やフェリー等の中に入って暗くなったと判断し、傾斜センサシステムを強制的にオフする（ステップ９０４）。
これにより、警戒状態の継続中、セキュリティＥＣＵ１は傾斜センサ３５を除くその他の盗難検知センサの出力に基づいて盗難の発生の判断を実行するので、駐車場のパレットやフェリーの揺れによる傾斜センサシステムの誤動作を防止することができる。
【００６４】
以上のように、天気情報に基づいて照度変化の閾値を調節することにより、屋外の照度に応じた閾値に設定することができるので、車両が屋内型移動式の駐車場内やフェリー内等に位置するか否かを確実に検出することができる。
【実施例１０】
【００６５】
また、現在日時、時刻情報から照度変化の閾値を調節することもでき、以下、時刻情報から照度変化の閾値を調節する場合のＣＰＵ１１の作用を図１６のフローチャートにより説明する。
セキュリティＥＣＵ１が警戒状態にセットされた場合、ＣＰＵ１１は図１６のフローチャートに示す傾斜センサシステムの設定プログラムを開始し、電波時計１４からの現在日時、時刻情報に基づいてその日時の年間平均照度をＲＯＭ１２から読み出し、その平均照度により照度変化の閾値Ｆを調節する（ステップ１００１）。すなわち、平均照度が高い場合には閾値Ｆを大きくし、平均照度が低い場合には、閾値Ｆを小さくする。
【００６６】
次に、ＣＰＵ１１は、ＲＡＭ１３からセキュリティＥＣＵ１が車両が駐車した時点から所定時間前までの照度値を取り込んだ（ステップ１００２）後、取り込んだ照度値に基づいて照度値の変化を検出し、その照度変化が閾値Ｆよりも大きいか否かを判定し（ステップ１００３）、照度変化が閾値Ｆよりも小さいと判定した場合、プログラムを終了する。
これにより、警戒状態の継続中、セキュリティＥＣＵ１は傾斜センサ３５を含む全てのセンサの出力に基づいて盗難の発生有無の判断を実行する。
【００６７】
一方、ステップ１００３で照度変化が閾値Ｆよりも大きいと判定した場合、ＣＰＵ１１は、車両が屋内型移動式の駐車場やフェリー等の中に入って暗くなったと判断し、傾斜センサシステムを強制的にオフする（ステップ１００４）。
これにより、警戒状態の継続中、セキュリティＥＣＵ１は傾斜センサ３５を除くその他の盗難検知センサの出力に基づいて盗難の発生の判断を実行するので、駐車場のパレットやフェリーの揺れによる傾斜センサシステムの誤動作を防止することができる。
【００６８】
以上のように、現在日時、時刻情報から照度変化の閾値を調節することにより、日時に応じた閾値に設定することができるので、車両が屋内型移動式の駐車場内やフェリー内等に位置するか否かを確実に検出することができる。
【実施例１１】
【００６９】
また、傾斜センサの出力自体を利用して車両が屋内型移動式の駐車場内やフェリー内等の、駐車中に車両に揺れが発生する状況にあるか否かを判断することも可能であり、以下、傾斜センサの出力自体を利用して、駐車中に車両に揺れが発生する状況にあるか否かを判断する実施例について説明する。
なお、装置構成は図１と同じであるので、説明は省略する。
【００７０】
図１７のフローチャートは、車両が駐車する前の一定時間内における傾斜角度に基づいて駐車中に車両に揺れが発生する状況にあるか否かを判断する場合の、ＣＰＵ１１の作用を示すものである。
セキュリティＥＣＵ１が警戒状態にセットされた場合、ＣＰＵ１１は図１７のフローチャートに示す傾斜センサシステムの設定プログラムを開始し、まず、ＲＡＭ１３から車両が駐車する前の一定時間内の傾斜角度を取り込む（ステップ１１０１）。
すなわち、セキュリティＥＣＵ１のＣＰＵ１１は、常時、傾斜センサ３５の出力とオフセット値との差を傾斜角度として一定時間間隔で取り込んでＲＡＭ１３に記憶しており、セキュリティＥＣＵ１が警戒状態に設定された場合、ＣＰＵ１１は、車両が駐車する前の一定時間内の傾斜角度を取り込む。なお、上記のオフセット値は傾斜センサ３５のフィルタ処理出力の所定時間の平均値である。
【００７１】
次に、ＣＰＵ１１は、取り込んだ傾斜角度のいずれかが閾値Ｇよりも大きいか否かを判定し（ステップ１１０２）、傾斜角度が閾値Ｇよりも小さいと判定した場合、プログラムを終了する。
これにより、警戒状態の継続中、セキュリティＥＣＵ１は傾斜センサ３５を含む全てのセンサの出力に基づいて盗難の発生有無の判断を実行する。
【００７２】
一方、ステップ１１０２で傾斜角度のいずれかが閾値Ｇよりも大きいと判定した場合、ＣＰＵ１１は、車両が屋内型移動式の駐車場内やフェリー内等の揺れが生じている場所に駐車していると判断し、傾斜センサシステムをオフする（ステップ１１０３）。
これにより、警戒状態の継続中、セキュリティＥＣＵ１は傾斜センサ３５を除くその他の盗難検知センサの出力に基づいて盗難の発生有無の判断を実行するので、駐車場のパレットやフェリーの揺れによる傾斜センサシステムの誤動作を防止することができる。
【００７３】
なお、上記の実施例では、傾斜センサ３５の出力とオフセット値との差が所定の閾値を超えた場合に、駐車中に車両に揺れが発生する状況にあると判断したが、傾斜センサ３５の出力自体を一定時間間隔で記憶し、車両が駐車する前の一定時間内の傾斜角の変化量が所定の閾値を越えたとき、駐車中に車両に揺れが発生する状況にあると判断することも可能である。
【００７４】
また、上記の実施例では、車両が駐車する前の一定時間内の傾斜角度に基づいて駐車中に車両に揺れが発生する状況にあるか否かを判断したが、車両が駐車した後の一定時間内の傾斜角度により、駐車中に車両に揺れが発生する状況にあるか否かを判断することもでき、また、セキュリティシステムが設定された後の一定時間内における傾斜角度がある閾値以上である場合に、駐車中に車両に揺れが発生する状況にあると判断することもできる。
【実施例１２】
【００７５】
上記の実施例では、傾斜角度に基づいて駐車中に車両に揺れが発生する状況にあるか否かを判断したが、傾斜角速度から駐車中に車両に揺れが発生する状況にあるか否かを判断することも可能であり、以下、傾斜角速度に基づいて駐車中に車両に揺れが発生する状況にあるか否かを判断する実施例について、図１８のフローチャートにより説明する。
セキュリティＥＣＵ１が警戒状態にセットされた場合、ＣＰＵ１１は図１８のフローチャートに示す傾斜センサシステムの設定プログラムを開始し、まず、ＲＡＭ１３から車両が駐車する前の一定時間内の傾斜角速度を取り込む（ステップ１２０１）。
すなわち、セキュリティＥＣＵ１のＣＰＵ１１は、傾斜センサ３５の出力より一定時間間隔で傾斜角速度を演算してＲＡＭ１３に記憶しており、セキュリティＥＣＵ１が警戒状態に設定された場合、ＣＰＵ１１は、車両が駐車される前の一定時間内の傾斜角速度を取り込む。
【００７６】
次に、ＣＰＵ１１は、取り込んだ傾斜角速度のいずれかが閾値Ｈよりも大きいか否かを判定し（ステップ１２０２）、傾斜角速度が閾値Ｈよりも小さいと判定した場合、プログラムを終了する。
これにより、警戒状態の継続中、セキュリティＥＣＵ１は傾斜センサ３５を含む全てのセンサの出力に基づいて盗難の発生有無の判断を実行する。
【００７７】
一方、ステップ１１０２で傾斜角速度のいずれかが閾値Ｈよりも大きいと判定した場合、ＣＰＵ１１は、車両が屋内型移動式の駐車場内やフェリー内等の揺れが生じている場所に駐車していると判断し、傾斜センサシステムをオフする（ステップ１２０３）。
これにより、警戒状態の継続中、セキュリティＥＣＵ１は傾斜センサ３５を除くその他の盗難検知センサの出力に基づいて盗難の発生有無の判断を実行するので、駐車場のパレットやフェリーの揺れによる傾斜センサシステムの誤動作を防止することができる。
【００７８】
なお、上記の実施例では、車両が駐車する前の一定時間内の傾斜角速度に基づいて駐車中に車両に揺れが発生する状況にあるか否かを判断したが、上記と同様に、車両が駐車した後の一定時間内の傾斜角速度を取り込み、傾斜角速度がある閾値以上である場合に、駐車中に車両に揺れが発生する状況にあると判断することもでき、また、セキュリティシステムが設定された後の一定時間内における傾斜角速度がある閾値以上である場合に、駐車中に車両に揺れが発生する状況にあると判断することもできる。
【００７９】
以上の実施例７〜実施例１２では、駐車中に車両に揺れが発生する状況にあると判断と判断した場合、単に傾斜センサシステムをオフしたが、このオフと同時にユーザに傾斜センサシステムをオフしたことを通知することもでき、また、傾斜センサシステムをオフする代わりに、盗難判別閾値を高くしたり、あるいは、傾斜角度演算処理の設定を変更することも可能である。
【００８０】
また、以上の実施例では、傾斜センサシステムの設定が変更されたことをナビゲーション装置２のモニタ２４に表示したが、車載オーディオ装置のスピーカを使用して音声により伝達したり、予め登録された携帯電話等のユーザのメールアドレスに宛ててメールを送信することにより傾斜センサシステムの設定が変更されたことを伝達することも可能である。
さらに、セキュリティ用送信機に傾斜センサシステムの設定が変更されたことを表示するランプを設け、通信によりセキュリティ用送信機に傾斜センサシステムの設定が変更されたことを伝達することにより、ユーザに知らせるようにしてもよい。
【図面の簡単な説明】
【００８１】
【図１】本発明の車両の盗難検知装置を適用した盗難検知システムの構成を示すブロック図である。
【図２】セキュリティＥＣＵが警戒状態にセットされた場合の作用を示すフローチャートである。
【図３】セキュリティＥＣＵが警戒状態にセットされた場合の他の実施例の作用を示すフローチャートである。
【図４】セキュリティＥＣＵが警戒状態にセットされた場合のさらに他の実施例の作用を示すフローチャートである。
【図５】セキュリティＥＣＵが警戒状態にセットされた場合のさらに他の実施例の作用を示すフローチャートである。
【図６】セキュリティＥＣＵでの傾斜角度信号の演算処理を示す機能ブロック図である。
【図７】セキュリティＥＣＵが警戒状態にセットされた場合のさらに他の実施例の作用を示すフローチャートである。
【図８】盗難検知閾値と傾斜角度演算値の比較状況を示す波形図である。
【図９】セキュリティＥＣＵが警戒状態にセットされた場合のさらに他の実施例の作用を示すフローチャートである。
【図１０】誤動作防止ＯＦＦフィルタロジックを追加した盗難検知ロジックを示す図である。
【図１１】誤動作防止ＯＦＦフィルタロジックの判定状況を示す波形図である。
【図１２】セキュリティＥＣＵが警戒状態にセットされた場合のさらに他の実施例の作用を示すフローチャートである。
【図１３】一定時間毎の照度取り込み値と照度変化を示す図である。
【図１４】セキュリティＥＣＵが警戒状態にセットされた場合のさらに他の実施例の作用を示すフローチャートである。
【図１５】セキュリティＥＣＵが警戒状態にセットされた場合のさらに他の実施例の作用を示すフローチャートである。
【図１６】セキュリティＥＣＵが警戒状態にセットされた場合のさらに他の実施例の作用を示すフローチャートである。
【図１７】セキュリティＥＣＵが警戒状態にセットされた場合のさらに他の実施例の作用を示すフローチャートである。
【図１８】セキュリティＥＣＵが警戒状態にセットされた場合のさらに他の実施例の作用を示すフローチャートである。
【図１９】傾斜角度のロジック演算結果と盗難検知閾値との比較状況を示す波形図である。
【符号の説明】
【００８２】
１  セキュリティＥＣＵ
１１  ＣＰＵ
１２  ＲＯＭ
１３  ＲＡＭ
１４  電波時計
２  ナビゲーション装置
２１  ＧＰＳアンテナ
２２  ＶＩＣＳアンテナ
２３  ナビ本体
２４  モニタ
３１  キー挿入検知ＳＷ
３２  カーテシＳＷ
３３  フードＳＷ
３４  侵入センサ
３５  傾斜センサ
３６  サイレン
３７  ハザードランプ
３８  照度センサ
【図１】
2007083745.tif 000003
【図２】
2007083745.tif 000004
【図３】
2007083745.tif 000005
【図４】
2007083745.tif 000006
【図５】
2007083745.tif 000007
【図６】
2007083745.tif 000008
【図７】
2007083745.tif 000009
【図８】
2007083745.tif 000010
【図９】
2007083745.tif 000011
【図１０】
2007083745.tif 000012
【図１１】
2007083745.tif 000013
【図１２】
2007083745.tif 000014
【図１３】
2007083745.tif 000015
【図１４】
2007083745.tif 000016
【図１５】
2007083745.tif 000017
【図１６】
2007083745.tif 000018
【図１７】
2007083745.tif 000019
【図１８】
2007083745.tif 000020
【図１９】
2007083745.tif 000021